(57)【特許請求の範囲】
【請求項１】
無線通信システムにおいて無線端末装置を動作させる方法であって、
キューに入れられたトラヒックを含む複数の異なる要求グループの少なくともいくつかに対応する伝送期限情報を特定し、
伝送期限情報が特定された複数の異なる要求グループの前記少なくともいくつかのそれぞれに関するスケジューリング優先度を動的に計算し、
複数の報告選択肢の１つを選択し、前記報告選択肢の前記選択された１つは、最高の優先度を有すると特定された前記要求グループに対応する報告選択肢であり、かつ
最高の優先度を有すると特定された前記要求グループに対応するバックログ情報を含むアップリンク要求レポートを伝送し、前記伝送されるアップリンク要求レポートは、前記選択された報告選択肢に従う
ことを備える方法。
【請求項２】
前記異なる要求グループのそれぞれは、伝送されるべきデータを格納するのに使用されることが可能な通信キューの１つまたはセットに対応する請求項１に記載の方法。
【請求項３】
前記報告選択肢の少なくともいくつかは、異なる要求グループに対応し、前記異なる報告選択肢は、ｎビットサイズのアップリンク要求レポートに関するレポートフォーマットの一部であり、前記レポートフォーマットは、ｎが正の整数である複数の異なるｎビットのマッピングを定義する請求項１に記載の方法。
【請求項４】
伝送期限情報を特定する前記ステップを実行するのに先立って、前記複数の異なる要求グループのいずれがキューに入れられたトラヒックを有するかを特定することをさらに備える請求項１に記載の方法。
【請求項５】
最高の優先度を特定することは、複数の異なる要求グループの前記少なくともいくつかに加えて、少なくとも１つのさらなる要求グループの優先度を考慮することを備える請求項１に記載の方法。
【請求項６】
前記少なくとも１つのさらなる要求グループは、該グループが、伝送されるべき少なくともいくらかのトラヒックを有するという条件付きで、最高の優先度を有すると判定される請求項５に記載の方法。
【請求項７】
前記報告選択肢の１つを前記選択することは、計算された最高の優先度を有する前記要求グループに対応するバックログ情報を報告する前記報告選択肢を選択することを含む請求項３に記載の方法。
【請求項８】
計算された最高の優先度を有する前記要求グループは、前記生成されたアップリンク要求レポートに応答してトラヒックチャネルリソースが割り当てられない場合、ドロップされる少なくともいくらかのトラヒックを含む請求項７に記載の方法。
【請求項９】
前記異なる要求グループの前記少なくともいくつかは、音声トラヒックに関連する要求グループ、および別のタイプの時間がクリティカルなトラヒックに関連する要求グループを含み、前記別のタイプの時間がクリティカルなトラヒックに関連する要求グループキューに入れられたパケットは、音声トラヒックに関連する要求グループキューに入れられたパケットと比べて、伝送されない場合、ドロップされるまでに、より長い時間にわたって留まることを許される請求項３に記載の方法。
【請求項１０】
前記別のタイプの時間がクリティカルなトラヒックは、ゲームトラヒックである請求項９に記載の方法。
【請求項１１】
前記音声トラヒック要求グループと前記別のタイプの時間がクリティカルなトラヒックの間の相対的優先度レベル格付けは、時間とともに変化する請求項９に記載の方法。
【請求項１２】
前記レポートは、専用制御チャネル報告構造におけるマルチビットのアップリンク要求レポートである請求項３に記載の方法。
【請求項１３】
前記複数の異なるｎビットのマッピングは、２ｎ個以下のマッピングを含む請求項３に記載の方法。
【請求項１４】
無線通信システムにおいて使用するための無線端末装置であって、
キューに入れられたトラヒックを含む複数の異なる要求グループの少なくともいくつかに対応する伝送期限情報を特定するための伝送期限特定モジュールと、
伝送期限情報が特定された複数の異なる要求グループの前記少なくともいくつかのそれぞれに関するスケジューリング優先度を動的に計算するための伝送スケジューリングモジュールと、
複数の報告選択肢の１つを選択するためのレポート選択モジュールであって、前記報告選択肢の前記選択される１つが、最高の優先度を有すると判定された前記要求グループに対応する報告選択肢である、レポート選択モジュールと、
最高の優先度を有すると判定された前記要求グループに対応するバックログ情報を含むアップリンク要求レポートを伝送するための送信機であって、前記伝送されるアップリンク要求レポートが前記選択された報告選択肢に従うものである、送信機と
を備える無線端末装置。
【請求項１５】
前記報告選択肢の少なくともいくつかは、異なる要求グループに対応し、前記異なる報告選択肢は、ｎビットサイズのアップリンク要求レポートに関するレポートフォーマットの一部であり、前記無線端末装置は、
ｎが正の整数である複数の異なるｎビットのマッピングを定義する前記レポートフォーマット情報を含むメモリをさらに含む請求項１４に記載の無線端末装置。
【請求項１６】
伝送されるべきデータを格納するための複数の通信キューをさらに備え、前記異なる要求グループのそれぞれは、前記通信キューの１つまたはセットに対応する請求項１５に記載の無線端末装置。
【請求項１７】
前記複数の異なる要求グループのいずれがキューに入れられたトラヒックを有するかを特定するためのキューステータス監視モジュールをさらに備える請求項１４に記載の無線端末装置。
【請求項１８】
前記レポート選択モジュールは、計算された最高優先度を有する前記要求グループに対応するバックログ情報を報告する報告選択肢を選択する請求項１５に記載の無線端末装置。
【請求項１９】
伝送されるべき格納されたパケットと、少なくとも１つの格納されたパケットが、前記格納されたパケットが示される時刻までに伝送されない場合、ドロップされるべき時刻を示す情報とをさらに含み、計算された最高の優先度を有する前記要求グループは、前記生成されたアップリンク要求レポートに応答してトラヒックチャネルリソースが割り当てられない場合、ドロップされる少なくともいくつかのパケットを含む請求項１８に記載の無線端末装置。
【請求項２０】
前記異なる要求グループの前記少なくともいくつかは、音声トラヒックに関連する要求グループ、および別のタイプの時間がクリティカルなトラヒックに関連する要求グループを含み、前記別のタイプの時間がクリティカルなトラヒックに関連する要求グループキューに入れられたパケットは、音声トラヒックに関連する要求グループキューに入れられたパケットと比べて、伝送されない場合、ドロップされるまでに、より長い時間にわたって留まることを許される請求項１５に記載の無線端末装置。
【請求項２１】
前記レポートは、マルチビットのアップリンク要求レポートであり、前記無線端末装置は、専用制御チャネル報告構造内で前記マルチビットのアップリンク要求レポートがいつ伝送されることが可能であるかを示す該専用制御チャネル報告構造を定義する格納された情報を含む請求項１５に記載の無線端末装置。
【請求項２２】
前記レポートフォーマットに関する前記複数の異なるｎビットのマッピングは、２ｎ個以下のマッピングを含む請求項１５に記載の無線端末装置。
【請求項２３】
無線通信システムにおいて使用するための無線端末装置であって、
キューに入れられたトラヒックを含む複数の異なる要求グループの少なくともいくつかに対応する伝送期限情報を特定するための手段と、
伝送期限情報が特定された複数の異なる要求グループの前記少なくともいくつかのそれぞれに関するスケジューリング優先度を動的に計算するための手段と、
複数の報告選択肢の１つを選択するための手段であって、前記報告選択肢の前記選択された１つは、最高の優先度を有すると特定された前記要求グループに対応する報告選択肢である、手段と、
最高の優先度を有すると特定された前記要求グループに対応するバックログ情報を含むアップリンク要求レポートを伝送するための手段であって、前記伝送されるアップリンク要求レポートは、前記選択された報告選択肢に従う、手段と
を備える無線端末装置。
【請求項２４】
前記報告選択肢の少なくともいくつかは、異なる要求グループに対応し、前記異なる報告選択肢は、ｎビットサイズのアップリンク要求レポートに関するレポートフォーマットの一部であり、前記無線端末装置は、
ｎが正の整数である、複数の異なるｎビットのマッピングを定義する前記レポートフォーマット情報を格納するための手段をさらに含む請求項２３に記載の無線端末装置。
【請求項２５】
伝送されるべきデータを格納するための複数の通信キューを格納するための手段をさらに備え、前記異なる要求グループのそれぞれは、前記通信キューの１つまたはセットに対応する請求項２４に記載の無線端末装置。
【請求項２６】
前記複数の異なる要求グループのいずれがキューに入れられたトラヒックを有するかを特定するためにキューのステータスを監視するための手段をさらに備える請求項２３に記載の無線端末装置。
【請求項２７】
前記複数の要求グループの前記少なくともいくつかは、音声トラヒックに関連する要求グループ、および異なるタイプの時間に依存するトラヒックに関連する要求グループを含む請求項２３に記載の無線端末装置。
【請求項２８】
キューに入れられたトラヒックを含む複数の異なる要求グループの少なくともいくつかに対応する伝送期限情報を特定する手順と、
伝送期限情報が特定された複数の異なる要求グループの前記少なくともいくつかのそれぞれに関するスケジューリング優先度を動的に計算する手順と、
複数の報告選択肢の１つを選択する手順であって、前記報告選択肢の前記選択された１つは、最高の優先度を有すると特定された前記要求グループに対応する報告選択肢である、手順と、
最高の優先度を有すると特定された前記要求グループに対応するバックログ情報を含むアップリンク要求レポートを伝送する手順であって、前記伝送されるアップリンク要求レポートは、前記選択された報告選択肢に従う、手順と、
をコンピュータに実行させるためのプログラムであって、無線通信システムにおける無線端末装置を制御するためのプログラムを記録したコンピュータ読み取り可能な記録媒体。
【請求項２９】
前記異なる要求グループのそれぞれは、伝送されるべきデータを格納するのに使用されることが可能な通信キューの１つまたはセットに対応する請求項２８に記載のコンピュータ読み取り可能な記録媒体。
【請求項３０】
前記報告選択肢の少なくともいくつかは、異なる要求グループに対応し、前記異なる報告選択肢は、ｎビットサイズのアップリンク要求レポートに関するレポートフォーマットの一部であり、前記レポートフォーマットは、ｎが正の整数である複数の異なるｎビットのマッピングを定義する請求項２８に記載のコンピュータ読み取り可能な記録媒体。
【請求項３１】
前記プログラムは、伝送期限情報を特定する前記ステップを実行するのに先立って、前記複数の異なる要求グループのいずれがキューに入れられたトラヒックを有するかを特定する手順をさらにコンピュータに実行させる請求項２８に記載のコンピュータ可読媒体コンピュータ読み取り可能な記録媒体。
【請求項３２】
前記複数の要求グループの前記少なくともいくつかは、音声トラヒックに関連する要求グループ、および異なるタイプの時間に依存するトラヒックに関連する要求グループを含む請求項２８に記載のコンピュータ読み取り可能な記録媒体。
【請求項３３】
キューに入れられたトラヒックを含む複数の異なる要求グループの少なくともいくつかに対応する伝送期限情報を特定し、
伝送期限情報が特定された複数の異なる要求グループの前記少なくともいくつかのそれぞれに関するスケジューリング優先度を動的に計算し、
複数の報告選択肢の１つを選択し、前記報告選択肢の前記選択された１つは、最高の優先度を有すると特定された前記要求グループに対応する報告選択肢であり、かつ
最高の優先度を有すると特定された前記要求グループに対応するバックログ情報を含むアップリンク要求レポートの伝送を制御し、前記伝送されるアップリンク要求レポートは、前記選択された報告選択肢に従う
ように構成されたプロセッサを備えるデバイス。
【請求項３４】
前記異なる要求グループのそれぞれは、伝送されるべきデータを格納するのに使用されることが可能な通信キューの１つまたはセットに対応する請求項３３に記載のデバイス。
【請求項３５】
前記報告選択肢の少なくともいくつかは、異なる要求グループに対応し、前記異なる報告選択肢は、ｎビットサイズのアップリンク要求レポートに関するレポートフォーマットの一部であり、前記レポートフォーマットは、ｎが正の整数である複数の異なるｎビットのマッピングを定義する請求項３３に記載のデバイス。
【請求項３６】
前記プロセッサは、伝送期限情報を特定する前記ステップを実行するのに先立って、前記複数の異なる要求グループのいずれがキューに入れられたトラヒックを有するかを特定するようにさらに構成される請求項３３に記載のデバイス。
【請求項３７】
前記複数の要求グループの前記少なくともいくつかは、音声トラヒックに関連する要求グループ、および異なるタイプの時間に依存するトラヒックに関連する要求グループを含む請求項３３に記載のデバイス。
【発明の詳細な説明】
【技術分野】
【０００１】
（関連出願）
本出願は、参照によるそれぞれ本明細書に明確に組み込まれている、「ＣＯＭＭＵＮＩＣＡＴＩＯＮＳ  ＭＥＴＨＯＤＳ  ＡＮＤ  ＡＰＰＡＲＡＴＵＳ」という名称の２００５年１２月２２日に出願した米国特許仮出願第６０／７５２，９７３号、および「ＭＥＴＨＯＤＳ  ＡＮＤ  ＡＰＰＡＲＡＴＵＳ  ＯＦ  ＩＭＰＬＥＭＥＮＴＩＮＧ  ＡＮＤ／ＯＲ  ＵＳＩＮＧ  Ａ  ＤＥＤＩＣＡＴＥＤ  ＣＯＴＲＯＬ  ＣＨＡＮＮＥＬ」という名称の２００６年１月１７日に出願した米国特許出願第１１／３３３，７９２号の利益を主張するものである。
【０００２】
本発明は、無線通信方法および無線通信装置に関し、より詳細には、報告選択肢、例えば、アップリンクトラヒックレポートのための報告選択肢を選択することに関する方法および装置に関する。
【背景技術】
【０００３】
多元接続無線通信システムにおいて、複数の無線端末装置が、通常、限られた無線リンクリソースを求めて競合している。アップリンクトラヒックシグナリングをサポートする状態で動作している無線端末装置は、通常、基地局接続ポイントに制御情報を通信する必要がある。この情報は、基地局接続ポイントが、無線端末装置を特徴付け、アップリンク伝送リソースなどのリソースを割り当てることを可能にする１つまたは複数の制御情報レポートの形態で通信されることが可能である。
【０００４】
無線端末装置は、複数の異なるタイプのアプリケーションに対応するアップリンクトラヒックをサポートすることができる。異なる時点で、無線端末装置は、異なるトラヒックチャネル報告ニーズを有することが可能である。したがって、様々な報告選択肢を可能にする方法および装置の必要性が、存在する。例えば、固定ビットサイズ要求レポートフォーマットを使用したシステムにおいて、異なるトラヒックグループに対応する報告選択肢が、レポートのために使用されるビットの数を変更することなしに、サポートされることが可能であれば、有益である。さらに、報告選択肢をサポートするための方法および装置が、開発されたものと想定すると、利用可能な報告選択肢の間で選択を行うのに使用されることが可能な方法および／または装置も開発され、さらに／またはサポートされることが可能であれば、やはり、有益である。利用可能である場合、報告選択肢を報告すること、および／または報告選択肢の間で選択することにおける改良は、効率的な無線リンクリソース割り当てを円滑にし、さらに／または無線端末装置の変化するトラヒックニーズおよび／またはサービス品質要件を満たすのに役立つことが可能である。
【特許文献１】米国特許仮出願第６０／７５２，９７３号
【特許文献２】米国特許出願第１１／３３３，７９２号
【発明の概要】
【０００５】
様々な実施形態が、例えば、固定サイズのレポートに関して、複数の報告選択肢をサポートするための方法および装置を対象とする。一部の特徴は、制御情報要求レポート、例えば、通信デバイスにおいて伝送されるのを待っているデータの量に関する情報を与えるアップリンクトラヒックレポートに関して、報告選択肢を選択することと関係する。一部の実施形態では、この選択において使用される優先レベルは、あらかじめ決められている。一部の実施形態では、この選択において使用される優先レベルは動的に決められる。そのようなレポートは、アップリンク伝送リソースを求める要求と見なされ、さらに／またはそのように解釈されることが可能であり、したがって、ときとして、アップリンク要求レポートと呼ばれる。
【０００６】
一部の、ただし、必ずしもすべてではない実施形態において、無線端末装置は、可能な異なる２Ｎ個のＮビットのビットパターンのそれぞれに対応するマッピング定義を有するＮビットサイズの、例えば、４ビットサイズのアップリンクトラヒックチャネル要求レポートを使用する。少なくとも１つのそのような実施形態において、無線端末装置は、複数の異なる要求グループを含み、各要求グループは、アップリンクトラヒック、例えば、対応するアップリンクトラヒックキューの１つまたはセットの中に格納されたトラヒックのグループに対応する。通信デバイスは、通信されるのを待っている異なる要求グループに対応する情報を常に把握しており、これらの異なる要求グループに関する統計、例えば、バックログのフレームのカウントを保持する。一部の例示的な実施形態では、要求レポートフォーマットは、異なる要求グループに関連する報告選択肢を提供するように構造化され、例えば、報告選択肢Ａは、選択された場合、無線端末装置が、要求グループ１についてのバックログ情報を通信することを可能にし、報告選択肢Ｂは、選択された場合、無線端末装置が、要求グループ２と要求グループ３の両方についてのバックログ情報を通信することを可能にし、報告選択肢Ｃは、選択された場合、無線端末装置が、要求グループ４についてのバックログ情報を通信することを可能にする。異なる報告選択肢は、可能な２Ｎ個のＮビットのマッピングの異なるサブセットに対応し、ただし、これらのサブセットは、重なり合わない。一部の実施形態では、無線端末装置は、これらの異なる要求グループに関連する優先度情報、例えば、所定の優先度情報を使用して、或る報告選択肢を選択する。一部の実施形態では、これらの異なる要求グループの少なくともいくつかに関連する優先度は、無線端末装置によって計算され、時とともに、例えば、キューの中のパケットに関連する伝送期限情報に応じて、変化する。このため、異なる報告選択肢の間で選択を行うことにより、通信デバイスは、ｎビットのレポートを使用して、異なる１つまたは複数の要求グループに関するバックログ情報を提供することができる。
【０００７】
様々な実施形態による、伝送バックログ情報を通信するように無線通信システムにおける無線端末装置を動作させる例示的な方法は、複数の報告選択肢の１つを選択することを備え、前記報告選択肢の少なくともいくつかは、異なる要求グループに対応し、前記異なる報告選択肢は、ｎビットサイズのアップリンク要求レポートに関するレポートフォーマットの一部であり、前記レポートフォーマットは、ｎが正の整数である、複数の異なるｎビットのマッピングを定義する。例示的な方法は、一部の実施形態では、アップリンク要求レポートを生成することをさらに含み、前記生成することは、選択された報告選択肢に従ってバックログ情報をマップして、生成されたアップリンク要求レポートに含められるべきｎビットの情報ビットパターンを獲得することを含む。次に、生成されたレポートが、例えば、無線通信リンクを介して、例えば、キューに入れられたデータを伝送するのに使用されることが可能なアップリンクリソースを割り当てることを担う基地局に伝送されることが可能である。
【０００８】
様々な実施形態による無線通信システムにおいて無線端末装置を動作させる別の例示的な方法は、キューに入れられたトラヒックを含む複数の異なる要求グループの少なくともいくつかに対応する伝送期限情報を特定すること、および伝送期限情報が特定された複数の異なる要求グループの前記少なくともいくつかのグループのそれぞれに関するスケジューリング優先度を動的に計算することを備える。この方法は、複数の報告選択肢の１つを選択することをさらに含むことが可能であるとともに、ときとして、実際に含み、これらの報告選択肢の前記選択される１つは、最高の優先度を有すると判定された要求グループに対応する報告選択肢である。一部の実施形態では、この方法は、最高の優先度を有すると判定された要求グループに対応するバックログ情報を含むアップリンク要求レポートを伝送することをさらに含み、ただし、この伝送されるアップリンク要求レポートは、選択された報告選択肢に従う。
【０００９】
また、様々な実施形態は、無線端末装置も対象とする。１つの例示的な無線端末装置は、無線通信システムにおいて使用されるように意図されており、複数のサポートされる報告選択肢の１つを使用して、伝送バックログ情報を基地局に通信する。例示的な無線端末装置は、複数の報告選択肢の１つを選択するための選択モジュールを含み、前記報告選択肢の少なくともいくつかは、異なる要求グループに対応し、前記異なる報告選択肢は、ｎビットサイズのアップリンク要求レポートに関するレポートフォーマットの一部であり、前記レポートフォーマットは、ｎが正の整数である、複数の異なるｎビットのマッピングを定義する。また、例示的な無線端末装置は、一部の実施形態では、アップリンク要求レポートを生成するためのレポート生成モジュールも含み、前記生成することは、選択された報告選択肢に従ってバックログ情報をマップして、生成されたアップリンク要求レポートの中に含められるべきｎビットの情報ビットパターンを獲得することを含み、さらに、無線端末装置は、生成されたアップリンク要求レポートを伝送して、伝送バックログ情報を通信するための送信機も含む。
【００１０】
別の実施形態では、例示的な無線端末装置は、キューに入れられたトラヒックを含め、複数の異なる要求グループの少なくともいくつかに対応する伝送期限情報を特定するための伝送期限特定モジュールを含む。そのような実施形態では、無線端末装置は、伝送期限情報が特定される複数の異なる要求グループの少なくともいくつかのグループの各グループに関するスケジューリング優先度を動的に計算するための伝送スケジューリングモジュールも含むことが可能である。また、例示的な無線端末装置は、複数の報告選択肢の１つを選択するためのレポート選択モジュールも含むことが可能であるとともに、ときとして、実際に含み、報告選択肢の前記選択される１つは、最高の優先度を有すると判定された要求グループに対応する報告選択肢である。生成されたレポートを通信するために、無線端末装置は、最高の優先度を有すると判定された要求グループに対応するバックログ情報を含むアップリンク要求レポートを伝送するための送信機も含むことが可能であるとともに、ときとして、実際に含み、前記伝送されるアップリンク要求レポートは、選択された報告選択肢に従う。
【００１１】
様々な実施形態が、以上の概要で説明されてきたが、必ずしもすべての実施形態が、同一の特徴を含むわけではなく、前述した特徴のいくつかは、必要ではないが、一部の実施形態において望ましい可能性があることを理解されたい。本発明の多数のさらなる特徴、実施形態、および利点が、以下の詳細な説明において記述される。
【図面の簡単な説明】
【００１２】
【図１】様々な実施形態に従って実施される例示的な無線通信システムを示す図。
【図２】様々な実施形態による例示的な無線端末装置、例えば、移動ノードを示す図。
【図３】様々な実施形態による例示的な基地局を示す図。
【図４】様々な実施形態による例示的な無線端末装置、例えば、移動ノードを示す図。
【図５】様々な実施形態による例示的な基地局を示す図。
【図６】伝送バックログ情報を通信するように無線通信システムにおける無線端末装置を動作させる例示的な方法を示す流れ図。
【図７】無線通信システムにおいて無線端末装置を動作させる例示的な方法を示す流れ図。
【図８】例示的な直交周波数分割多重化（ＯＦＤＭ）多元接続無線通信システムにおける例示的なアップリンクタイミングおよび周波数構造における例示的なアップリンク専用制御チャネル（ＤＣＣＨ）セグメントを示す図。
【図９】例示的なＤＣＣＨ報告構造において使用される例示的な専用制御チャネルレポート（ＤＣＲｓ）のセットのテーブルを含む図。
【図１０】図９の専用制御チャネルレポートを含む例示的な専用制御チャネル報告フォーマットを示す図。
【図１１】例示的な４ビットのアップリンクトラヒック要求レポート（ＵＬＲＱＳＴ４）の例示的なフォーマットを示すテーブル、および報告選択肢を示す列を含む図。
【図１２】例示的な無線端末装置における３つの例示的な要求グループを示す図。
【図１３】図１１の例示的な４ビットのアップリンク要求レポートフォーマットを使用し、図１２の要求グループを含む例示的な無線端末装置の方法の実施例を示す図。
【図１４】図１１の例示的な４ビットのアップリンク要求レポートフォーマットを使用し、図１２の要求グループを含む例示的な無線端末装置の方法の別の実施例を示す図。
【図１５】例示的な４ビットのアップリンクトラヒック要求レポート（ＵＬＲＱＳＴ４）の例示的なフォーマットを示すテーブル、および報告選択肢を示す列を含む図。
【図１６】例示的な無線端末装置における２つの例示的な要求グループを示す図。
【図１７】図１５の例示的な４ビットのアップリンク要求レポートフォーマットを使用し、図１６の要求グループを含む例示的な無線端末装置の方法の実施例を示す図。
【図１８】図１５の例示的な４ビットのアップリンク要求レポートフォーマットを使用し、図１６の要求グループを含む例示的な無線端末装置の方法の別の実施例を示す図。
【図１９】例示的な４ビットのアップリンクトラヒック要求レポート（ＵＬＲＱＳＴ４）の例示的なフォーマットを示すテーブル、および報告選択肢を示す列を含む図。
【図２０】例示的な無線端末装置における３つの例示的な要求グループを示す図。
【図２１】図１９の例示的な４ビットのアップリンク要求レポートフォーマットを使用し、図２０の要求グループを含む例示的な無線端末装置の方法の実施例を示す図。
【図２２】図１９の例示的な４ビットのアップリンク要求レポートフォーマットを使用し、図２０の要求グループを含む例示的な無線端末装置の方法の別の実施例を示す図。
【発明を実施するための形態】
【００１３】
図１は、様々な実施形態に従って実施される例示的な無線通信システム１００の図である。例示的な無線通信システム１００は、例えば、少なくともいくつかの固定サイズのマルチビット要求レポートを含む専用制御チャネルアップリンク報告構造を使用する直交周波数分割多重化（ＯＦＤＭ）多元接続無線通信システムである。この固定ビットサイズの要求レポートを使用して、伝送バックログ情報、例えば、或るキュー、またはキューの或るセットに関して伝送されるのを待っている情報のフレームの数が報告されることが可能である。バックログレポートは、１つまたは複数の要求グループに関する情報を提供することができ、ただし、異なる要求グループは、伝送されるべき情報を格納するのに使用されることが可能な異なるキュー、またはキューの異なるセットに対応する。
【００１４】
例示的な無線通信システム１００は、複数の基地局（基地局１  １０２、．．．基地局Ｍ  １０４）を含む。各基地局（１０２、１０４）は、対応する無線サービスエリア（セル１  １０６、セルＭ  １０８）をそれぞれ有する。また、システム１００は、それぞれ、ネットワークリンク（１２０、１２２）を介して基地局（１０２、１０４）に結合されたネットワークノード１１８も含む。ネットワークノード１１８は、リンク１２４を介して他のネットワークノードおよび／またはインターネットにも結合される。ネットワークリンク（１２０、１２２、１２４）は、例えば、光ファイバリンクである。また、システム１００は、複数のセクタを有するセル、および／または複数のキャリアを使用するセルを含むことも可能である。
【００１５】
また、システム１００は、複数の無線端末装置を含むことも可能である。無線端末装置の少なくともいくつかは、通信システム全体を移動することが可能な移動ノードである。図１では、無線端末装置（ＷＴ  １  １１０、ＷＴ  Ｎ  １１２）が、セル１  １０６内に位置し、それぞれ、無線リンク（１２６、１２８）を介して基地局１  １０２に結合される。図１では、無線端末装置（ＷＴ  １′  １１４、ＷＴ  Ｎ′  １１６）が、セルＭ  １０８内に位置し、それぞれ、無線リンク（１３０、１３２）を介して基地局Ｍ  １０４に結合される。様々な実施形態によれば、無線端末装置の少なくともいくつかは、例えば、固定ビットサイズのアップリンクトラヒックチャネル要求レポートのために、無線端末装置が、伝送されるべき要求レポートに関して、報告選択肢の間で選択を行うことを可能にする要求レポートフォーマットを使用し、前記報告選択肢は、少なくとも２つの異なる要求グループに対応する。例えば、例示的な４ビットのアップリンクトラヒックチャネル要求レポートフォーマットは、１６の異なるビットパターンを含むことが可能であり、この１６のビットマッピングパターンの第１のサブセットは、マッピング要求グループ１フレームカウントバックログ情報に関連することが可能であるのに対して、この１６のビットマッピングパターンの第２のサブセットは、一緒に符号化されたマッピング要求グループ２フレームカウントバックログ情報とマッピング要求グループ３フレームカウントバックログ情報に関連することが可能である。この実施例を続けて、無線端末装置が、（ｉ）要求グループ１と（ｉｉ）要求グループ２と要求グループ３の少なくとも１つとの両方において、０でないバックログカウントを有するものと想定すると、無線端末装置は、例えば、優先度情報および／または伝送期限情報に応じて、報告すべき選択肢を選択する。
【００１６】
図２は、様々な実施形態による例示的な無線端末装置２００、例えば、移動ノードの図である。例示的な無線端末装置２００は、伝送バックログ情報、例えば、異なる要求グループに対応する、無線端末装置が伝送することを意図するアップリンクトラヒックに関する伝送バックログ情報を、基地局に通信する。例示的な無線端末装置２００は、バス２１２を介して一緒に結合された受信機モジュール２０２、送信機モジュール２０４、プロセッサ２０６、ユーザＩ／Ｏデバイス２０８、およびメモリ２１０を含み、バス２１２を介して、この様々な要素は、データおよび情報を交換する。メモリ２１０は、ルーチン２１４およびデータ／情報２１６を含む。プロセッサ２０６、例えば、ＣＰＵは、ルーチン２１４を実行し、メモリ２１０の中のデータ／情報２１６を使用して、無線端末装置２００の動作を制御し、方法を実施する。
【００１７】
受信機モジュール２０２、例えば、ＯＦＤＭ受信機が、無線端末装置２００が基地局からダウンリンク信号を受信する受信アンテナ２０３に結合される。送信機モジュール２０４、例えば、ＯＦＤＭ送信機が、無線端末装置が基地局にアップリンク信号を送信する送信アンテナ２０５に結合される。これらのアップリンク信号は、専用制御チャネルセグメント信号を含む。専用制御チャネルセグメントの少なくともいくつかは、アップリンクトラヒックチャネル要求レポート、例えば、４ビットのアップリンクトラヒックチャネル要求レポートを伝送する。送信機モジュール２０４は、生成されたアップリンク要求レポートを伝送して、伝送バックログ情報を通信する。一部の実施形態では、受信機と送信機のために同一のアンテナが使用される。
【００１８】
ユーザＩ／Ｏデバイス２０８、例えば、キーボード、キーパッド、カメラ、マイクロホン、スイッチ、ディスプレイ、スピーカなどにより、無線端末装置２００のユーザが、データ／情報を入力すること、出力データ／情報を獲得すること、および無線端末装置の少なくともいくつかの機能を制御することが可能になる。例えば、Ｉ／Ｏデバイスインターフェース２０８を介して、ユーザは、通信セッションおよび／またはアプリケーションを開始する、または終了することができる。
【００１９】
ルーチン２１４は、報告選択肢選択モジュール２１８、アップリンク要求レポート生成モジュール２２０、および要求グループ特定モジュール２２２を含む。報告選択肢選択モジュール２１８は、複数の報告選択肢の１つを選択し、前記報告選択肢の少なくともいくつかは、異なる要求グループに対応し、前記異なる報告選択肢は、ｎビットサイズのアップリンク要求レポートのためのレポートフォーマットの一部であり、前記レポートフォーマットは、ｎが正の整数である複数のｎビットのマッピングを定義する。アップリンク要求レポート生成モジュール２２０は、アップリンク要求レポートを生成し、前記生成することは、選択された報告選択肢に従ってバックログ情報をマップして、生成されたアップリンク要求レポートの中に含められるべきｎビットの情報ビットパターンを獲得することを含む。一部の実施形態において、生成されたアップリンク要求レポートは、専用制御チャネル報告構造におけるマルチビットのアップリンク要求レポートである。
【００２０】
要求グループ特定モジュール２２２は、選択される要求グループを特定し、前記選択される要求グループは、０でないバックログを有するとともにアップリンク要求レポートによって報告されることが可能な要求グループの間で最高の優先度を有する。要求グループ特定モジュール２２２の選択は、インプットとして報告選択肢選択モジュール２１８によって使用される。一部の実施形態では、報告選択肢の１つを選択することにより、選択された要求グループに対応するバックログ情報を伝える報告選択肢が選択される。一部のそのような実施形態において、選択された報告選択肢は、少なくとも２つの要求グループに対応するバックログ情報を報告し、この２つの要求グループに対応する情報は、生成されたレポートの中で一緒に符号化される。
【００２１】
データ／情報２１６は、Ｎビットサイズの、例えば、４ビットの要求レポートフォーマット情報２２４、専用制御チャネル報告構造情報２２６、複数の要求グループ通信キュー（要求グループ１通信キュー２２８、．．．要求グループｍ通信キュー２３０）、複数の対応する要求グループ優先度情報（要求グループ１優先度情報２３２、．．．要求グループｍ優先度情報２３４）、複数の対応する要求グループキューステータス情報（要求グループ１キューステータス情報２３６、例えば、バックログのフレームカウント、．．．要求グループｍキューステータス情報２３８、例えば、バックログのフレームカウント）、選択された要求グループ情報２３８、選択された報告選択肢情報２４２、および生成されたアップリンク要求レポート情報２４４を含む。
【００２２】
Ｎビットサイズの要求レポートフォーマット情報２２４は、前記複数の異なるｎビットのマッピングを定義する情報を含み、前記複数の異なるｎビットのマッピングは、２ｎ個以下のマッピングを含む。例えば、Ｎ＝４である１つの例示的な実施形態では、異なる１６のマッピングが存在し、これらのマッピングの第１のサブセットは、第１の報告選択肢に関連するのに対して、これらのマッピングの第２のサブセットは、第２の報告選択肢に関連し、前記第１のサブセットと前記第２のサブセットは、重なり合わない。Ｎビットサイズの要求レポートフォーマット情報２２４は、複数の報告選択肢ビットマッピング情報セット（報告選択肢１ビットマッピング情報２４６、．．．報告選択肢Ｘビットマッピング情報２４８）を含む。
【００２３】
専用制御チャネル（ＤＣＣＨ）報告構造情報２２６は、ＤＣＣＨ論理チャネルトーンを識別する情報、ＤＣＣＨセグメント、セグメントに対する異なるタイプのレポートのマッピング、および反復する報告構造における関連するタイミングを含む。ＤＣＣＨ報告構造における異なるタイプのレポートには、Ｎビットサイズの要求レポートフォーマット情報２２４に従う要求レポートタイプが含まれる。
【００２４】
要求グループ通信キュー（要求グループ１通信キュー２２８、．．．要求グループｍ通信キュー２３０）は、伝送されるべきデータを格納するための複数の通信キューであり、ただし、各要求グループは、１つの通信キューに対応する。一部の実施形態において、これらの異なる要求グループの少なくともいくつかは、通信キューのセットに対応する。要求グループ優先度情報（要求グループ１優先度情報２３２、．．．要求グループｍ優先度情報２３４）は、これらの異なる要求グループに関連する格納された要求グループ優先度情報である。報告選択肢の選択は、要求グループ優先度情報に応じて実行される。様々な実施形態において、要求グループ優先度は、あらかじめ決められている。要求グループキューステータス情報（要求グループ１キューステータス情報２３６、．．．要求グループｍキューステータス情報２３８）は、（要求グループ１通信キュー２２８、．．．要求グループｍ通信キュー２３０）にそれぞれ対応して、例えば、バックログのフレームカウント、例えば、バックログのＭＡＣフレームカウントを含む。要求グループ特定モジュール２２２は、選択される要求グループを特定する際に、キューステータス情報（２３６、．．．２３８）を使用する。例えば、或る特定の要求グループが、０のフレームカウントを有して、その要求グループに対応するアップリンクトラヒックのバックログが全く存在しないことを示す場合、その特定の要求グループは、考慮から除外される。
【００２５】
選択された要求グループ情報２３８、モジュール２２２のアウトプット、およびモジュール２１８へのインプットは、例えば、ｍ個の要求グループのいずれが要求レポート特定モジュール２２２によって選択されているかを識別する識別子である。選択された報告選択肢情報２４２、モジュール２１８のアウトプット、およびモジュール２２０のインプットは、例えば、要求レポートフォーマット情報２２４に従うＸ個の報告選択肢の１つを識別する識別子である。生成されたアップリンク要求レポート情報２４４は、レポート生成モジュール２２０のアウトプットである。例えば、アップリンク要求レポートが、４ビットのアップリンク要求レポートである場合、レポートは、異なる１６のビットパターンの１つである。
【００２６】
図３は、様々な実施形態による例示的な基地局３００の図である。例示的な基地局３００は、図１のシステム１００の例示的な基地局（ＢＳ  １  １０２、．．．ＢＳ  Ｍ  １０４）のいずれかであることが可能である。基地局３００は、バス３１６を介して一緒に結合された受信機モジュール３０４、送信機モジュール３０８、プロセッサ３１０、Ｉ／Ｏインターフェース３１２、およびメモリ３１４を含み、バス３１６を介して、この様々な要素は、データおよび情報を交換することができる。メモリ３１４は、ルーチン３１８およびデータ／情報３２０を含む。プロセッサ３１０、例えば、ＣＰＵは、ルーチン３１８を実行し、メモリ３１４の中のデータ／情報を使用して、基地局の動作を制御し、方法を実施する。
【００２７】
受信機モジュール３０４、例えば、ＯＦＤＭ受信機が、受信アンテナ３０２に結合され、アンテナ３０２を介して、基地局３００は、無線端末装置からのアップリンク信号を受信し、前記実行されるアップリンク信号は、専用制御チャネルセグメント信号を含み、専用制御チャネルセグメント信号の少なくともいくつかは、トラヒックチャネル要求レポートを伝送する。また、受信されるアップリンク信号は、トラヒックチャネルセグメント信号も含む。送信機モジュール３０８、例えば、ＯＦＤＭ送信機が、送信アンテナ３０６に結合され、アンテナ３０６を介して、基地局は、ダウンリンク信号を無線端末装置に伝送し、前記ダウンリンク信号は、アップリンクトラヒックチャネルセグメントに関する割り当てを伝える割り当て信号を含む。Ｉ／Ｏインターフェース３１２は、基地局を他のネットワークノード、例えば、他の基地局および／またはインターネットに結合する。このため、Ｉ／Ｏインターフェース３１２は、基地局３００をバックホール（backhaul）ネットワークに結合することにより、基地局３００の接続ポイントを使用する無線端末装置が、無線端末装置のネットワーク接続ポイントとは異なる基地局を使用して、ピアノードとの、例えば、別の無線端末装置との通信セッションに参加することを可能にする。
【００２８】
ルーチン３１８は、要求レポート情報回復モジュール３２２、スケジューラモジュール３２４、要求グループ推測モジュール３２６、および要求グループ更新モジュールを含む。要求レポート情報回復モジュール３２２は、Ｎビットサイズのレポートフォーマット情報３３４を含むデータ／情報３２０を使用して、受信された要求レポート、例えば、アップリンク専用制御チャネルセグメントにおいて通信されるトラヒックチャネルリソースに関する４ビットの要求レポートから、回復された情報を獲得する。例えば、ＷＴ１に対応して、回復された情報は、処理された要求レポート３４２からの回復された情報を含む。要求レポートの情報ビットは、異なる複数の、例えば、１６のパターンの１つであることが可能であり、この特定のビットパターンは、１つの要求グループ、または要求グループのセットが、バックログの中に或る数のフレームを有すること、またはバックログの中に或る範囲内の数のフレームを含むことを意味するものと解釈される。例えば、要求レポートフォーマットが、図１１のフォーマットに対応する例を考慮すると、ビットパターン＝００１０が、要求グループ２が、バックログの中に、伝送されるのを待っている２つ、または３つのフレームを有することを意味することが可能である。
【００２９】
スケジューラモジュール３２４は、無線端末装置に対して、アップリンクトラヒックチャネルセグメントおよびダウンリンクトラヒックチャネルセグメントをスケジュールする。例えば、スケジューラモジュール３２４は、基地局３００を現在のネットワーク接続ポイントとして使用する動作のオン状態において、無線端末装置からの固定サイズのアップリンクトラヒックチャネル要求レポート、例えば、ＵＬＲＱＳＴ４レポートの中で通信された、受信された要求に応答して、アップリンクトラヒックチャネルセグメントをスケジュールする。割り当てられるアップリンクトラヒックチャネルセグメント情報３５０は、ＷＴ１に関するスケジューラ３２４割り当て、例えば、ＷＴ１に割り当てられた特定のインデックス付けされたアップリンクトラヒックチャネルセグメントを識別する情報に当たる。
【００３０】
要求グループ推測モジュール３２６は、受信された要求レポートの中で直接に報告されない要求グループについての推測を実行する。例えば、所定の要求グループ優先度情報により、要求グループ２が、要求グループ１または要求グループ３より高い所定の優先度を有することが識別され、報告規則は、無線端末装置が、０でないバックログを有する最高優先度のグループのバックログを報告するようになっているものと想定されたい。そのような状況において、基地局が、要求グループ１と要求グループ３の組み合わせについての情報を伝えるレポートを受信した場合、基地局は、要求グループ２が、現在の０のバックログを有すると推測することができる。
【００３１】
要求グループ更新モジュール３２７は、回復モジュール３２２から獲得された、回復された情報、例えば、情報３４２、および推測モジュール３２６から獲得された、推測された情報、例えば、情報３４４を使用して、無線端末装置に対応する要求グループ情報のセット、例えば、（要求グループ１情報３４６、．．．要求グループｍ情報３４８）を更新する。例えば、要求グループ更新モジュール３２７は、要求グループ情報セット、例えば、（要求グループ１情報３４６、．．．要求グループｍ情報３４８）の１つまたは複数に関して、新たな要求グループフレームカウントをロードし、要求フレームカウントを変更し、さらに／または要求グループカウントをクリアする。
【００３２】
データ／情報３２０は、複数の無線端末装置データ／情報セット（ＷＴ  １  データ／情報３２８、．．．ＷＴ  Ｎ  データ／情報３３０）、専用制御チャネル報告構造情報３３２、Ｎビットサイズの要求レポートフォーマット情報３３４、および所定の要求グループ優先度情報３３６を含む。ＷＴ  １  データ／情報３２８は、処理された要求レポートからの回復された情報３４２、要求グループに関する推測された情報３４４、要求グループ情報の複数のセット（要求グループ１情報３４６、．．．要求グループｍ情報３４８）、および割り当てられたアップリンクトラヒックチャネルセグメント情報３５０を含む。
【００３３】
Ｎビットサイズの、例えば、４ビットサイズのレポートフォーマット情報３３４は、複数のビットパターンに関する解釈情報（ビットパターン１に関する解釈情報３３８、．．．ビットパターンＮに関する解釈情報３４０）を含む。例えば、Ｎ＝４である、１つの例示的な実施形態では、異なる１６のビットパターン（００００、０００１、．．．１１１１）が存在し、ただし、各ビットパターンは、レポートの中で伝えられる情報の異なる解釈を有する。
【００３４】
所定の要求グループ優先度情報３３６は、異なるアップリンクトラヒック要求グループを異なる所定の優先度に関連付ける情報を含む。一部の実施形態において、異なる無線端末装置は、使用される要求グループに関連する異なる優先順位付けを有する。
【００３５】
専用制御チャネル（ＤＣＣＨ）報告構造情報３３２は、ＤＣＣＨ論理チャネルトーンを識別する情報、ＤＣＣＨセグメント、セグメントに対する異なるタイプのレポートのマッピング、および反復する報告構造における関連するタイミングを含む。ＤＣＣＨ報告構造における異なるタイプのレポートには、Ｎビットサイズの要求レポートフォーマット情報３３４に従う要求レポートタイプが含まれる。
【００３６】
図４は、様々な実施形態による例示的な無線端末装置４００、例えば、移動ノードの図である。例示的な無線端末装置４００は、伝送バックログ情報、例えば、異なる要求グループに対応する、無線端末装置が伝送することを意図するアップリンクトラヒックに関する伝送バックログ情報を、基地局に通信する。例示的な無線端末装置４００は、バス４１２を介して一緒に結合された受信機モジュール４０２、送信機モジュール４０４、プロセッサ４０６、ユーザＩ／Ｏデバイス４０８、およびメモリ４１０を含み、バス４１２を介して、この様々な要素は、データおよび情報を交換する。メモリ４１０は、ルーチン４１４およびデータ／情報４１６を含む。プロセッサ４０６、例えば、ＣＰＵは、ルーチン４１４を実行し、メモリ４１０の中のデータ／情報４１６を使用して、無線端末装置４００の動作を制御し、方法を実施する。
【００３７】
受信機モジュール４０２、例えば、ＯＦＤＭ受信機が、受信アンテナ４０３に結合され、アンテナ４０３を介して、無線端末装置４００は、基地局からダウンリンク信号を受信する。送信機モジュール４０４、例えば、ＯＦＤＭ送信機が、送信アンテナ４０５に結合され、アンテナ４０５を介して、無線端末装置は、アップリンク信号を基地局に送信する。これらのアップリンク信号は、専用制御チャネルセグメント信号を含む。これらの専用制御チャネルセグメントの少なくともいくつかは、アップリンクトラヒックチャネル要求レポート、例えば、４ビットのアップリンクトラヒックチャネル要求レポートを伝送する。送信機モジュール４０４は、生成されたアップリンク要求レポートを伝送して、伝送バックログ情報を通信する。例えば、送信機モジュール４０４は、最高の優先度を有すると判定された要求グループに対応するバックログ情報を含むアップリンク要求レポートを伝送し、前記伝送されるアップリンク要求レポートは、選択された報告フォーマットに従う。一部の実施形態では、受信機と送信機のために同一のアンテナが使用される。
【００３８】
ユーザＩ／Ｏデバイス４０８、例えば、キーボード、キーパッド、カメラ、マイクロホン、スイッチ、ディスプレイ、スピーカなどにより、無線端末装置４００のユーザが、データ／情報を入力すること、出力データ／情報を獲得すること、および無線端末装置の少なくともいくつかの機能を制御することが可能になる。例えば、Ｉ／Ｏデバイスインターフェース４０８を介して、ユーザは、通信セッションおよび／またはアプリケーションを開始する、または終了することができる。
【００３９】
ルーチン４１４は、伝送期限特定モジュール４１８、伝送スケジューリングモジュール４２０、報告選択肢選択モジュール４２２、キューステータス監視モジュール４２４、およびアップリンク要求レポート生成モジュール４２５を含む。伝送期限特定モジュール４１８は、キューに入れられたトラヒックを含む複数の異なる要求キューの少なくともいくつかに対応する伝送期限情報を特定する。伝送スケジューリングモジュール４２０は、伝送期限情報が特定された複数の異なる要求グループの少なくともいくつかのグループの各グループに関するスケジューリング優先度を動的に計算する。報告選択肢選択モジュール４２２は、複数の報告選択肢の１つを選択し、報告選択肢の前記選択された１つは、最高の優先度を有すると判定された要求グループに対応する報告選択肢である。一部の実施形態では、報告選択肢選択モジュール４２２は、例えば、特定された伝送期限情報に応答して計算された、最高の計算された優先度を有する要求グループに対応するバックログ情報を報告する報告選択肢を選択する。一部の実施形態では、報告選択肢のいくつかは、優先度が、特定された伝送期限情報とは無関係である要求グループに対応することが可能である。例えば、一部の実施形態では、１つの要求グループが、０でないバックログカウントを有する場合、最高の優先度を帯びることが可能である。キューステータス監視モジュール４２４は、複数の異なる要求グループのいずれがキューに入れられたトラヒックを有するかを特定する。アップリンク要求レポート生成モジュール４２５は、特定された最高の優先度を有する選択された要求グループを含み、その要求グループに対応する要求グループバックログ情報、例えば、フレームカウント情報を伝える要求レポートフォーマット情報４２６に従って、Ｎビットサイズのアップリンク要求レポートを生成する。
【００４０】
データ／情報４１６は、Ｎビットサイズの、例えば、４ビットの要求レポートフォーマット情報４２６、専用制御チャネル報告構造情報４２８、複数の要求グループ通信キュー（要求グループ１通信キュー４３０、．．．要求グループｍ通信キュー４３２）、複数の対応する要求グループ優先度情報（要求グループ１優先度情報４３４、．．．要求グループｍ優先度情報４３６）、複数の要求グループ最大陳腐度情報（要求グループ１最大陳腐度情報４３８、．．．要求グループｍ最大陳腐度情報４４０）、複数の対応する要求グループキューステータス情報（要求グループ１キューステータス情報４４２、．．．要求グループｍキューステータス情報４４４、選択された要求グループ情報４４６、選択された報告選択肢情報４４８、および生成されたアップリンク要求レポート情報４５０を含む。
【００４１】
Ｎビットサイズの要求レポートフォーマット情報４２６は、前記複数の異なるｎビットのマッピングを定義する情報を含み、前記複数の異なるｎビットのマッピングは、２ｎ個以下のマッピングを含む。例えば、Ｎ＝４である１つの例示的な実施形態では、異なる１６のマッピングが存在し、それらのマッピングの第１のサブセットは、第１の報告選択肢に関連するのに対して、それらのマッピングの第２のサブセットは、第２の報告選択肢に関連し、前記第１のサブセットと前記第２のサブセットは、重なり合わない。Ｎビットサイズの要求レポートフォーマット情報４５２は、複数の報告選択肢ビットマッピング情報セット（報告選択肢１ビットマッピング情報４５２、．．．報告選択肢Ｘビットマッピング情報４５４）を含む。
【００４２】
専用制御チャネル（ＤＣＣＨ）報告構造情報４２８は、ＤＣＣＨ論理チャネルトーンを識別する情報、ＤＣＣＨセグメント、セグメントに対する異なるタイプのレポートのマッピング、および反復する報告構造における関連するタイミングを含む。ＤＣＣＨ報告構造における異なるタイプのレポートは、Ｎビットサイズの要求レポートフォーマット情報４２６に従う要求レポートタイプを含む。
【００４３】
要求グループ通信キュー（要求グループ１通信キュー４３０、．．．要求グループｍ通信キュー４３２）は、伝送されるべきデータを格納するための複数の通信キューであり、ただし、各要求グループは、１つの通信キューに対応する。要求グループ１通信キュー４３０は、伝送されるべき複数のパケット（パケット１  ４５６、．．．パケットＹ  ４５８）を含む。同様に、要求グループｍ通信キュー４３２は、伝送されるべき複数のパケット（パケット１  ４６０、．．．パケットＺ  ４６２）を含む。一部の実施形態では、異なる要求グループの少なくともいくつかは、通信キューのセットに対応する。要求グループ優先度情報（要求グループ１優先度情報４３４、．．．要求グループｍ優先度情報４３４）は、異なる要求グループに現在、関連する、格納された要求グループ優先度情報を含む。要求グループに対応する報告優先度の少なくともいくつかは、特定された伝送期限情報に応じて、時間とともに変化する。例えば、時間に依存するトラヒック、例えば、ゲームトラヒックに対応する或る特定の要求グループに関連する優先レベルは、対応するキューに格納されたパケットが、伝送されない場合、破棄されることになるまでの残りの時間に応じて変化する。報告選択肢の選択は、要求グループ優先度情報に応じて実行される。
【００４４】
要求グループ最大陳腐度情報（要求グループ１最大陳腐度情報４３８、．．．要求グループｍ最大陳腐度情報４４０）は、基準、例えば、或る特定の要求グループキューに置かれたパケットが、伝送されない場合に、ドロップされるまで、留まることを許されるべき最大時間限度を含む。例えば、音声トラヒックに対応する要求グループキューは、通常、ゲームアプリケーションに対応する要求グループと比べて、より小さい最大破棄時間値を有する。要求グループキューステータス情報（要求グループ１キューステータス情報４４２、．．．要求グループｍキューステータス情報４４４）は、（要求グループ１通信キュー４３０、．．．要求グループｍ通信キュー４３２）にそれぞれ対応する、例えば、バックログのフレームカウント、例えば、バックログのＭＡＣフレームカウント、およびパケット有効期限情報を含む。パケット有効期限情報は、一部の実施形態では、伝送期限特定モジュール４１８によって決定される。
【００４５】
選択された要求グループ情報４４６、伝送スケジューリングモジュール４２０のアウトプット、および報告選択肢選択モジュール４２２のインプットは、例えば、ｍ要求グループのいずれが最高の優先度を有すると判定されているかを識別する識別子である。選択された報告選択肢情報４４８、モジュール４２２のアウトプット、およびアップリンク要求レポート生成モジュール４２５のインプットは、例えば、要求レポートフォーマット情報４２６に従うＸ個の報告選択肢の１つを識別する識別子である。
【００４６】
生成されたアップリンク要求レポート情報４５０は、アップリンクレポート生成モジュールのアウトプットである。例えば、アップリンク要求レポートが、４ビットのアップリンク要求レポートである場合、このレポートは、１６の選択肢ビットパターンの１つである。
【００４７】
図５は、様々な実施形態による例示的な基地局５００の図である。例示的な基地局５００は、図１のシステム１００の例示的な基地局（ＢＳ  １  １０２、．．．ＢＳ  Ｍ  １０４）のいずれかであることが可能である。基地局５００は、バス５１６を介して一緒に結合された受信機モジュール５０４、送信機モジュール５０８、プロセッサ５１０、Ｉ／Ｏインターフェース５１２、およびメモリ５１４を含み、バス５１６を介して、この様々な要素は、データおよび情報を交換することができる。メモリ５１４は、ルーチン５１８およびデータ／情報５２０を含む。プロセッサ５１０、例えば、ＣＰＵは、ルーチン５１８を実行し、メモリ５１４の中のデータ／情報５２０を使用して、基地局５００の動作を制御し、方法を実施する。
【００４８】
受信機モジュール５０４、例えば、ＯＦＤＭ受信機が、受信アンテナ５０２に結合され、アンテナ５０２を介して、基地局５００は、無線端末装置からのアップリンク信号を受信し、前記受信されるアップリンク信号は、専用制御チャネルセグメント信号を含み、専用制御チャネルセグメント信号の少なくともいくつかは、トラヒックチャネル要求レポートを伝送する。また、受信されるアップリンク信号は、トラヒックチャネルセグメント信号も含む。送信機モジュール５０８、例えば、ＯＦＤＭ送信機が、送信アンテナ５０６に結合され、アンテナ５０６を介して、基地局５００は、ダウンリンク信号を無線端末装置に伝送し、前記ダウンリンク信号は、アップリンクトラヒックチャネルセグメントに関する割り当てを伝える割り当て信号を含む。Ｉ／Ｏインターフェース５１２は、基地局５００を他のネットワークノード、例えば、他の基地局および／またはインターネットに結合する。このため、Ｉ／Ｏインターフェース５１２は、基地局５００をバックホールネットワークに結合することにより、基地局５００の接続ポイントを使用する無線端末装置が、無線端末装置のネットワーク接続ポイントとは異なる基地局を使用して、ピアノードとの、例えば、別の無線端末装置との通信セッションに参加することを可能にする。
【００４９】
ルーチン５１８は、要求レポート情報回復モジュール５２２、スケジューラモジュール５２４、および要求グループ追跡／更新モジュール５２６を含む。要求レポート情報回復モジュール５２２は、Ｎビットサイズの要求レポートフォーマット情報５３４を含むデータ／情報５２０を使用して、例えば、アップリンク専用制御チャネルセグメントにおいて通信されるトラヒックチャネルリソースに関する４ビットの要求レポートから、回復された情報を獲得する。例えば、ＷＴ１に対応して、回復された情報は、処理された要求レポート５４２からの回復された情報を含む。要求レポートの情報ビットは、異なる複数の、例えば、１６のパターンの１つであることが可能であり、この特定のビットパターンは、１つの要求グループ、または要求グループのセットが、バックログの中に或る数のフレームを有すること、またはバックログの中に或る範囲内の数のフレームを含むことを意味するものと解釈される。例えば、要求レポートフォーマットが、図１５のフォーマットに対応する例を考慮すると、ビットパターン＝１１１０が、要求グループ２が、バックログの中に、伝送されるのを待っている２３、２４、２５、２６、または２７のフレームを有することを意味することが可能である。
【００５０】
スケジューラモジュール５２４は、無線端末装置に対して、アップリンクトラヒックチャネルセグメントおよびダウンリンクトラヒックチャネルセグメントをスケジュールする。例えば、スケジューラモジュール５２４は、基地局５００を現在のネットワーク接続ポイントとして使用する動作のオン状態において、無線端末装置からの固定サイズのアップリンクトラヒックチャネル要求レポート、例えば、ＵＬＲＱＳＴ４レポートの中で通信された、受信された要求に応答して、アップリンクトラヒックチャネルセグメントをスケジュールする。割り当てられるアップリンクトラヒックチャネルセグメント情報５５０は、ＷＴ１に関するスケジューラ５２４割り当て、例えば、ＷＴ１に割り当てられた特定のインデックス付けされたアップリンクトラヒックチャネルセグメントを識別する情報に当たる。
【００５１】
要求グループ追跡／更新モジュール５２７は、回復モジュール５２２から獲得された、回復された情報、例えば、情報５４２、および推測された情報、例えば、情報５４４を使用して、無線端末装置に対応する要求グループ情報のセット、例えば、（要求グループ１情報５４６、．．．要求グループｍ情報５４８）を更新する。例えば、要求グループ追跡／更新モジュール５２６は、要求グループ情報セット、例えば、（要求グループ１情報５４６、．．．要求グループｍ情報５４８）の１つまたは複数に関して、新たな要求グループフレームカウントをロードし、要求フレームカウントを変更し、さらに／または要求グループカウントをクリアする。
【００５２】
データ／情報５２０は、複数の無線端末装置データ／情報セット（ＷＴ  １  データ／情報５２８、．．．ＷＴ  Ｎ  データ／情報５３０）、専用制御チャネル報告構造情報５３２、Ｎビットサイズの要求レポートフォーマット情報５３４、および要求グループに関係する優先度情報５３６を含む。ＷＴ  １  データ／情報５２８は、処理された要求レポートからの回復された情報５４２、要求グループに関する推測された情報５４４、要求グループ情報の複数のセット（要求グループ１情報５４６、．．．要求グループｍ情報５４８）、および割り当てられたアップリンクトラヒックチャネルセグメント情報５５０を含む。
【００５３】
Ｎビットサイズの、例えば、４ビットサイズのレポートフォーマット情報５３４は、複数のビットパターンに関する解釈情報（ビットパターン１に関する解釈情報５３８、．．．ビットパターンＮに関する解釈情報５４０）を含む。例えば、Ｎ＝４である、１つの例示的な実施形態では、異なる１６のビットパターン（００００、０００１、．．．１１１１）が存在し、ただし、各ビットパターンは、レポートの中で伝えられる情報の異なる解釈を有する。
【００５４】
要求グループに関係する優先度情報５３６は、無線端末装置の少なくともいくつかに関する要求グループの少なくともいくつかを、特定された伝送期限情報に応じて無線端末装置によって計算された可変の優先度に関連付ける情報を含む。一部の実施形態では、無線端末装置の少なくともいくつかは、所定のオーバーライディング優先度を有する要求グループを有し、例えば、１つの要求グループに、そのグループが、バックログの中にフレームを有する場合、最高の優先度が割り当てられることが可能であり、別の要求グループに、最低の優先度が割り当てられることが可能である。優先度情報５３６は、要求グループ追跡／更新モジュール５２６によって使用されることが可能である。例えば、無線端末装置は、受信された要求レポートが、所定のオーバーライディング優先度要求グループに対応するキューステータスを伝えたことを認識し、無線端末装置は、過去の要求情報に基づき、一部の実施形態では、少なくとも１つの他の要求グループに関する要求を外挿する。
【００５５】
専用制御チャネル（ＤＣＣＨ）報告構造情報５３２は、ＤＣＣＨ論理チャネルトーンを識別する情報、ＤＣＣＨセグメント、セグメントに対する異なるタイプのレポートのマッピング、および反復する報告構造における関連するタイミングを含む。ＤＣＣＨ報告構造における異なるタイプのレポートには、Ｎビットサイズの要求レポートフォーマット情報５３４に従う要求レポートタイプが含まれる。
【００５６】
図６は、伝送バックログ情報を通信するように無線通信システムにおける無線端末装置を動作させる例示的な方法の流れ図６００の図である。例えば、例示的な無線通信システムは、一部の実施形態では、専用制御チャネル報告構造を使用する直交周波数分割多重化（ＯＦＤＭ）多元接続無線通信システムであり、伝送バックログ情報は、アップリンクトラヒック伝送バックログ情報である。
【００５７】
一部の実施形態では、異なる要求グループが存在し、これらの異なる要求グループのそれぞれは、伝送されるべきデータを格納するのに使用されることが可能な通信キューの１つ、またはセットに対応する。様々な実施形態において、優先度、例えば、所定の優先度が、これらの異なる要求グループに関連付けられ、選択は、要求グループ優先度に応じて実行される。
【００５８】
例示的な方法の動作は、ステップ６０２で始まり、無線端末装置が、電源をオンにされ、初期化される。動作は、開始ステップ６０２からステップ６０４に進む。ステップ６０４で、無線端末装置は、０でないバックログを有するとともにこの要求機会にアップリンク要求レポートによって報告されることが可能な要求グループの間で最高の優先度レベルを有する、選択される要求グループを特定する。
【００５９】
動作は、ステップ６０４からステップ６０６に進む。ステップ６０６で、無線端末装置は、複数の報告選択肢の１つを選択し、前記報告選択肢の少なくともいくつかは、異なる要求グループに対応し、前記異なる報告選択肢は、Ｎビットサイズのアップリンク要求レポートに関するレポートフォーマットの一部であり、前記報告フォーマットは、Ｎが正の整数である、複数の異なるＮビットのマッピングを定義する。一部の実施形態では、この複数の異なるＮビットのマッピングは、２ｎ個以下のマッピングを含む。
【００６０】
一部の実施形態では、報告選択肢の１つを選択することにより、選択された要求グループに対応するバックログ情報を伝える報告選択肢が選択される。一部のそのような実施形態では、選択された報告選択肢は、少なくともいくつかの報告選択肢に関して、レポートの中で一緒に符号化される２つの要求グループに対応するバックログ情報を報告する。
【００６１】
動作は、ステップ６０６からステップ６０８に進む。ステップ６０８で、無線端末装置は、アップリンク要求レポートを生成し、前記生成することは、選択された報告選択肢に従ってバックログ情報をマップして、生成されたアップリンク要求レポートの中に含められるべきＮビットの情報ビットパターンを獲得することを含む。例えば、アップリンク要求レポートは、専用制御チャネル報告構造におけるマルチビットの、例えば、４ビットのアップリンク要求レポートである。次に、ステップ６１０で、無線端末装置は、生成されたアップリンク要求レポートを伝送する。
【００６２】
動作は、ステップ６１０からステップ６０４に進み、無線端末装置が、別の要求機会に対応する、選択された要求グループを特定する。
【００６３】
図７は、無線通信システムにおいて無線端末装置を動作させる例示的な方法の流れ図７００の図である。例えば、例示的な無線通信システムは、一部の実施形態では、アップリンクトラヒックの伝送バックログ情報を報告するためのアップリンク要求報告機会を含め、専用制御チャネル報告構造を使用する直交周波数分割多重化（ＯＦＤＭ）多元接続無線通信システムである。
【００６４】
動作は、ステップ７０２で始まり、無線端末装置が、電源をオンにされ、初期化されて、ステップ７０４に進む。ステップ７０４で、無線端末装置は、複数の異なる要求グループのいずれがキューに入れられたトラヒックを有するかを特定する。様々な実施形態において、異なる要求グループのそれぞれは、データを格納するのに使用されることが可能な通信キューの１つ、またはセットに対応する。
【００６５】
次に、ステップ７０６で、無線端末装置は、キューに入れられたトラヒックを含む前記複数の異なる要求グループの少なくともいくつかに対応する伝送期限情報を特定する。
【００６６】
動作は、ステップ７０６からステップ７０８に進む。ステップ７０８で、無線端末装置は、伝送期限情報が特定された複数の異なる要求グループの前記少なくともいくつかのグループの各グループに関するスケジューリング優先度を動的に計算する。
【００６７】
次に、ステップ７１０で、無線端末装置は、複数の報告選択肢の１つを選択し、これらの報告選択肢の前記選択される１つは、最高の優先度を有すると判定された要求グループに対応する。一部の実施形態では、前記報告選択肢の少なくともいくつかは、異なる要求グループに対応し、前記異なる報告選択肢は、ｎビットサイズのアップリンク要求レポートに関するレポートフォーマットの一部であり、前記レポートフォーマットは、ｎが正の整数である複数の異なるｎビットのマッピングを定義する。
【００６８】
様々な実施形態において、最高の優先度を特定することは、複数の異なる要求グループの前記少なくともいくつかに加え、少なくとも１つのさらなる要求グループの優先度を考慮することを含む。一部のそのような実施形態では、前記少なくとも１つのさらなる要求グループは、そのグループが、伝送されるべき少なくともいくらかのトラヒックを有するという条件付きで、最高の優先度を有すると判定される。
【００６９】
一部の実施形態では、報告選択肢を選択することは、最高の計算された優先度を有する要求グループに対応するバックログ情報を報告する報告選択肢を選択することを含む。一部の実施形態では、いくつかの時点で、最高の計算された優先度を有する要求グループを選択することは、生成されたアップリンク要求レポートに応答してトラヒックチャネルリソースが割り当てられない場合、ドロップされる少なくともいくらかのトラヒックを含む。
【００７０】
動作は、ステップ７１０からステップ７１２に進む。ステップ７１２で、無線端末装置は、最高の優先度を有すると判定された要求グループに対応するバックログ情報を含むアップリンク要求レポートを伝送し、前記伝送されるアップリンク要求レポートは、選択された報告選択肢に従う。一部の実施形態では、レポートは、専用制御チャネル報告構造におけるマルチビットのアップリンク要求レポートである。動作は、ステップ７１２からステップ７０４に進み、無線端末装置は、別の時点に関して、複数の異なる要求グループのいずれがキューに入れられたトラヒックを有するかを特定する。
【００７１】
一部の実施形態では、これらの異なる要求グループの少なくともいくつかは、音声トラヒックに関連する要求グループ、および別のタイプの時間がクリティカルなトラヒックに関連する要求グループを含み、前記別のタイプの時間がクリティカルなトラヒックに関連する要求グループキューに入れられたパケットは、音声トラヒックに関連する要求グループキューに入れられたパケットと比べて、伝送されない場合、ドロップされるまでに、より長い時間にわたって留まることを許される。一部のそのような実施形態では、前記別のタイプの時間がクリティカルなトラヒックは、ゲームトラヒックである。
【００７２】
様々な実施形態において、前記音声トラヒック要求グループと前記別のタイプの時間がクリティカルなトラヒックの間の相対的優先度レベル格付けは、時間とともに、例えば、特定された伝送期限情報に応じて変化する。例えば、音声要求グループと、前記別のタイプの時間がクリティカルなトラヒック要求グループのいずれかは、待ち状態の要求レポートに対応する割り当てにおいてリソースを割り当てられない場合、間もなく有効期限が切れて、ドロップされるパケット、またはパケットのグループを含むのに対して、音声要求グループと、前記別のタイプの時間がクリティカルなトラヒック要求グループの他方のいずれかは、待ち状態の要求レポートに対応する割り当てにおいてリソースを割り当てられない場合、間もなく有効期限が切れて、ドロップされるパケットを含まないものと想定されたい。そのような状況において、より高い優先度は、間もなく有効期限が切れるパケットを有する要求グループに割り当てられることが可能である。
【００７３】
図８は、例示的な直交周波数分割多重化（ＯＦＤＭ）多元接続無線通信システムにおける例示的なアップリンクタイミング−周波数構造における例示的なアップリンク専用制御チャネル（ＤＣＣＨ）セグメントを示す図８００である。アップリンク専用制御チャネルは、無線端末装置から基地局に専用制御レポート（ＤＣＲ）を送信するのに使用される。垂直軸８０２は、論理アップリンクトーンインデックスをプロットするのに対して、水平軸８０４は、ビーコンスロット内のハーフスロットのアップリンクインデックスをプロットする。この例では、アップリンクトーンブロックは、（０、．．．１１２）というインデックスが付けられた１１３の論理アップリンクトーンを含み、スーパースロット内に、ハーフスロット内の７つの連続するＯＦＤＭシンボル伝送期間、２つのさらなるＯＦＤＭシンボル期間、およびその後に続く１６の連続するハーフスロットが存在し、ビーコンスロット内に８つの連続するスーパースロットが存在する。スーパースロット内の最初の９つのＯＦＤＭシンボル伝送期間は、アクセス間隔であり、専用制御チャネルは、アクセス間隔の無線リンクリソースを使用しない。
【００７４】
例示的な専用制御チャネルは、３１の論理トーン（アップリンクトーンインデックス８１  ８０６、アップリンクトーンインデックス８２  ８０８、．．．アップリンクトーンインデックス１１１  ８１０）に細分される。論理アップリンク周波数構造における各論理アップリンクトーン（８１、．．．１１１）は、ＤＣＣＨチャネル（０、．．．３０）に関してインデックスが付けられた論理トーンに対応する。
【００７５】
専用制御チャネルにおける各トーンに関して、４０の列（８１２、８１４、８１６、８１８、８２０、８２２、．．．８２４）に対応するビーコンスロットの中の４０のセグメントが存在する。このセグメント構造は、ビーコンスロットごとに繰り返される。専用制御チャネルにおける所与のトーンに関して、ビーコンスロット８２８に対応する４０のセグメントが存在し、ビーコンスロットの８つのスーパースロットのそれぞれは、所与のトーンに関して５つの連続するセグメントを含む。例えば、ＤＣＣＨのトーン０に対応するビーコンスロット８２８の第１のスーパースロット８２６に関して、インデックスの付けられた５つのセグメント（セグメント［０］［０］、セグメント［０］［１］、セグメント［０］［２］、セグメント［０］［３］、セグメント［０］［４］）が存在する。同様に、ＤＣＣＨのトーン１に対応する、ビーコンスロット８２８の第１のスーパースロット８２６に関して、インデックスの付けられた５つのセグメント（セグメント［１］［０］、セグメント［１］［１］、セグメント［１］［２］、セグメント［１］［３］、セグメント［１］［４］）が存在する。同様に、ＤＣＣＨのトーン３０に対応する、ビーコンスロット８２８の第１のスーパースロット８２６に関して、インデックスの付けられた５つのセグメント（セグメント［３０］［０］、セグメント［３０］［１］、セグメント［３０］［２］、セグメント［３０］［３］、セグメント［３０］［４］）が存在する。
【００７６】
この例では、各セグメント、例えば、セグメント［０］［０］は、例えば、２１のＯＦＤＭトーン−シンボルの割り当てられたアップリンク無線リンクリソースを表す、３つの連続するハーフスロットに関する１つのトーンを含む。一部の実施形態では、論理アップリンクトーンは、アップリンクトーンホッピングシーケンスに従って物理トーンにホッピングさせられて、論理トーンに関連する物理トーンは、連続するハーフスロットに関して異なる可能性があるが、所与のハーフスロットの間、不変のままであるようにされる。
【００７７】
専用制御チャネルの各論理トーンは、基地局によって、その基地局を現在の接続ポイントとして使用する異なる無線端末装置に割り当てられることが可能である。例えば、論理トーン（５０６、５０８、．．．５１０）が、（ＷＴ  Ａ  ８３０、ＷＴ  Ｂ  ８３２、．．．ＷＴ  Ｎ  ８３４）にそれぞれ、現在、割り当てられていることが可能である。
【００７８】
各アップリンクＤＣＣＨセグメントは、専用制御チャネルレポート（ＤＣＲ）のセットを伝送するのに使用される。例示的なＤＣＲのリストが、図９のテーブル９００の中で与えられる。テーブル９００の第１の列９０２は、それぞれの例示的なレポートに関して使用される省略された名前を説明する。各レポートの名前は、ＤＣＲのビットの数を指定する数で終わる。テーブル９００の第２の列９０４は、それぞれの名付けられたレポートを簡単に説明する。
【００７９】
図１０は、例えば、或る無線端末装置に対応する、所与のＤＣＣＨトーンに関する例示的なビーコンスロットの中の例示的な報告フォーマット情報を示す図１０９９である。図１０では、各ブロック（１０００、１００１、１００２、１００３、１００４、１００５、１００６、１００７、１００８、１００９、１０１０、１０１１、１０１２、１０１３、１０１４、１０１５、１０１６、１０１７、１０１８、１０１９、１０２０、１０２１、１０２２、１０２３、１０２４、１０２５、１０２６、１０２７、１０２８、１０２９、１０３０、１０３１、１０３２、１０３３、１０３４、１０３５、１０３６、１０３７、１０３８、１０３９）は、インデックスｓ２（０、．．．３９）が、長方形の領域１０４０の中でブロックの上に示される１つのセグメントを表す。各ブロック、例えば、セグメント０を表すブロック１０００は、６つの情報ビットを伝え、各ブロックは、セグメントの中の６ビットに対応する６つの行を含み、ただし、これらのビットは、長方形の領域１０４３の中で示されるとおり、一番上の行から一番下の行まで下に向かって最上位のビットから最下位のビットまでリストアップされる。
【００８０】
図１１は、例示的な４ビットのアップリンクトラヒック要求レポート（ＵＬＲＱＳＴ４）の例示的なフォーマットを示すテーブル１１０２、および報告選択肢を示す列１１０４を含む図１１００である。テーブル１１０２の列１１０６は、レポートの可能な１６の情報ビットパターンをリストアップし、列１１０８は、これらの可能なビットパターンのそれぞれに対応して伝えられる、報告されるバックログ情報をリストアップする。例えば、Ｎ［２］＝１は、要求グループ２が、バックログの中に、伝送されるべき１つのフレームを有することを示し、Ｎ［１］＋Ｎ［３］＝１２：１４は、要求グループ１と要求グループ３の組み合わせが、バックログの中に、合計で、伝送されるべき１２、１３、または１４のフレームを有することを示す。列１１０４は、報告選択肢Ａが、要求グループ２バックログ情報を報告し、ビットパターン（００００、０００１、００１０、００１１、０１００）に対応することを示す。また、列１１０４は、報告選択肢Ｂが、要求グループ１と要求グループ３の複合バックログに関して報告し、ビットパターン（０１０１、０１１０、０１１１、１０００、１００１、１０１０、１０１１、１１００、１１０１、１１１０、１１１１）に対応することも示す。
【００８１】
図１２は、例示的な無線端末装置における３つの例示的な要求グループを示す図１２００である。列１２０２は、要求グループ１が、アップリンクトラヒックのためのキュー、フレームカウントＮ［２］、および所定の優先レベル＝中間を有することを示す。列１２０４は、要求グループ２が、アップリンクトラヒックのためのキュー、フレームカウントＮ［２］、および所定の優先レベル＝高を有することを示す。列１２０６は、要求グループ３が、アップリンクトラヒックのためのキュー、フレームカウントＮ［３］、および所定の優先レベル＝低を有することを示す。
【００８２】
図１３は、図２のテーブル１１００の例示的な４ビットのアップリンク要求レポートフォーマットを使用し、図１２００の要求グループを含む例示的な無線端末装置、例えば、無線端末装置２００の方法の実施例を示す図１３００である。ブロック１３０２は、中間優先レベルを有する要求グループ１が、５というフレームカウントを有することを示し、ブロック１３０４は、高優先レベルを有する要求グループ２が、０というフレームカウントを有することを示し、ブロック１３０６は、低優先レベルを有する要求グループ３が、７というフレームカウントを有することを示す。ブロック１３０８は、無線端末装置が、優先度に応じて要求グループ１を選択することを示し、例えば、無線端末装置は、要求グループ１が、０でないバックログを有する最高の優先レベルを有する要求グループであるため、要求グループ１を選択する。ブロック１３１０は、無線端末装置が、報告選択肢Ｂが要求グループ１に関するバックログ情報を報告するため、報告選択肢Ｂを選択することを示す。ブロック１３１２は、無線端末装置が、情報ビットパターン＝１０１１、すなわち、ビット１０１１にマップされる範囲１２：１４であるＮ［１］＋Ｎ［３］＝１２を有するアップリンク要求レポートを生成することを示す。次に、ブロック１３１４は、無線端末装置が、この生成されたアップリンク要求レポートを、専用制御セグメントの信号の一部として伝送することを示す。
【００８３】
図１４は、図２のテーブル１１００の例示的な４ビットのアップリンク要求レポートフォーマットを使用し、図１２００の要求グループを含む例示的な無線端末装置、例えば、無線端末装置２００の方法の実施例を示す図１４００である。ブロック１４０２は、中間優先レベルを有する要求グループ１が、５というフレームカウントを有することを示し、ブロック１４０４は、高優先レベルを有する要求グループ２が、３というフレームカウントを有することを示し、ブロック１４０６は、低優先レベルを有する要求グループ３が、８というフレームカウントを有することを示す。ブロック１４０８は、無線端末装置が、優先度に応じて要求グループ２を選択することを示し、例えば、無線端末装置は、要求グループ２が、０でないバックログを有する最高の優先レベルを有する要求グループであるため、要求グループ２を選択する。ブロック１４１０は、無線端末装置が、報告選択肢Ａが要求グループ２に関するバックログ情報を報告するので、報告選択肢Ａを選択することを示す。ブロック１４１２は、無線端末装置が、情報ビットパターン＝００１０、すなわち、ビット００１０にマップされる範囲２：３であるＮ［２］＝３を有するアップリンク要求レポートを生成することを示す。次に、ブロック１４１４は、無線端末装置が、この生成されたアップリンク要求レポートを、専用制御セグメントの信号の一部として伝送することを示す。
【００８４】
図１５は、例示的な４ビットのアップリンクトラヒック要求レポート（ＵＬＲＱＳＴ４）の例示的なフォーマットを示すテーブル１５０２、および報告選択肢を示す列１５０４を含む図１５００である。テーブル１５０２の列１５０６は、レポートに関する可能な１６の情報ビットパターンをリストアップし、列１５０８は、これらの可能なビットパターンのそれぞれに対応して伝えられる、報告されるバックログ情報をリストアップする。例えば、Ｎ［１］＝１は、要求グループ１が、バックログの中に、伝送されるべき１つのフレームを有することを示し、Ｎ［２］＝４：５は、要求グループ２が、バックログの中に、合計で、伝送されるべき４つ、または５つのフレームを有することを示す。列１５０４は、報告選択肢Ａが、要求グループ１バックログ情報を報告し、ビットパターン（００００、０００１、００１０、００１１、０１００）に対応することを示す。また、列１５０４は、報告選択肢Ｂが、要求グループ２バックログに関して報告し、ビットパターン（０１０１、０１１０、０１１１、１０００、１００１、１０１０、１０１１、１１００、１１０１、１１１０、１１１１）に対応することも示す。
【００８５】
図１６は、例示的な無線端末装置における２つの例示的な要求グループを示す図１６００である。列１６０２は、要求グループ１が、アップリンク音声トラヒックに関するキュー、フレームカウントＮ［１］、パケットが破棄されるまでの最大保持時間、伝送期限情報、および計算された現在の優先度を示す。列１６０４は、要求グループ２が、アップリンクの他の時間に依存するトラヒック、例えば、ゲームトラヒックのためのキュー、フレームカウントＮ［２］、パケットが破棄されるまでの最大保持時間、伝送期限情報、および計算された現在の優先度を示す。
【００８６】
図１７は、図１５のテーブル１５００の例示的な４ビットのアップリンク要求レポートフォーマットを使用し、図１６００の要求グループを含む例示的な無線端末装置、例えば、無線端末装置４００の方法の実施例を示す図１７００である。ブロック１７０２は、音声トラヒックのために使用される要求グループ１が、３というフレームカウント、２０ミリ秒の最大パケット保持時間、およびパケットが、伝送されない場合、ドロップされることになるまでの９ミリ秒という現在の伝送期限を有することを示し、ブロック１７０４は、ゲームトラヒックなどの、他の時間に依存するトラヒックのために使用される要求グループ２が、２６というフレームカウント、２００ミリ秒の最大パケット保持時間、およびパケットが、伝送されない場合、ドロップされることになるまでの２ミリ秒という現在の伝送期限を有することを示す。伝送期限は、無線端末装置によって計算されており、無線端末装置は、この情報に応じて、現在の優先レベルを計算する。この例では、無線端末装置は、情報１７０２によって示されるとおり、要求グループ１に関して、現在の優先レベル＝２（低優先度）を計算しており、情報１７０４によって示されるとおり、要求グループ２に関して、現在の優先レベル＝１（高）を計算しており、例えば、より小さい伝送期限値を有する要求グループを、より高い優先度を有するように選択する。ブロック１７０６は、無線端末装置が、現在の優先度に応じて要求グループ２を選択すること、例えば、無線端末装置が、計算された最高の優先度を有する要求グループを選択することを示す。ブロック１７０８は、無線端末装置が、報告選択肢Ｂが要求グループ２に関するバックログ情報を報告するので、報告選択肢Ｂを選択することを示す。ブロック１７１０は、無線端末装置が、情報ビットパターン＝１１１０、すなわち、ビットパターン１１１０にマップされる範囲２３：２７であるＮ［２］＝２６を有するアップリンク要求レポートを生成することを示す。次に、ブロック１７１２は、無線端末装置が、この生成されたアップリンク要求レポートを、専用制御セグメントの信号の一部として伝送することを示す。
【００８７】
図１８は、図１５のテーブル１５００の例示的な４ビットのアップリンク要求レポートフォーマットを使用し、図１６００の要求グループを含む例示的な無線端末装置、例えば、無線端末装置４００の方法の別の実施例を示す。ブロック１８０２は、音声トラヒックのために使用される要求グループ１が、３というフレームカウント、２０ミリ秒の最大パケット保持時間、およびパケットが、伝送されない場合、ドロップされることになるまでの９ミリ秒という現在の伝送期限を有することを示し、ブロック１８０４は、ゲームトラヒックなどの、他の時間に依存するトラヒックのために使用される要求グループ２が、１６というフレームカウント、２００ミリ秒の最大パケット保持時間、およびパケットが、伝送されない場合、ドロップされることになるまでの７０ミリ秒という現在の伝送期限を有することを示す。伝送期限は、無線端末装置によって計算されており、無線端末装置は、この情報に応じて、現在の優先レベルを計算する。この例では、無線端末装置は、情報１８０２によって示されるとおり、要求グループ１に関して、現在の優先レベル＝１（高優先度）を計算しており、情報１８０４によって示されるとおり、要求グループ２に関して、現在の優先レベル＝２（低）を計算しており、例えば、より小さい伝送期限値を有する要求グループを、より高い優先度を有するように選択する。ブロック１８０６は、無線端末装置が、現在の優先度に応じて要求グループ１を選択すること、例えば、無線端末装置が、計算された最高の優先度を有する要求グループを選択することを示す。ブロック１８０８は、無線端末装置が、報告選択肢Ａが要求グループ１に関するバックログ情報を報告するので、報告選択肢Ａを選択することを示す。ブロック１８１０は、無線端末装置が、情報ビットパターン＝００１０、すなわち、ビットパターン００１０にマップされる範囲３：３であるＮ［１］＝３を有するアップリンク要求レポートを生成することを示す。次に、ブロック１８１２は、無線端末装置が、この生成されたアップリンク要求レポートを、専用制御セグメントの信号の一部として伝送することを示す。
【００８８】
図１９は、例示的な４ビットのアップリンクトラヒック要求レポート（ＵＬＲＱＳＴ４）の例示的なフォーマットを示すテーブル１９０２、および報告選択肢を示す列１９０４を含む図１９００である。テーブル１９０２の列１９０６は、レポートに関する可能な１６の情報ビットパターンをリストアップし、列１９０８は、可能なビットパターンのそれぞれに対応して伝えられる、報告されるバックログ情報をリストアップする。例えば、Ｎ［１］＝１は、要求グループ１が、バックログの中に、伝送されるべき１つのフレームを有することを示し、Ｎ［２］＝４：５は、要求グループ２が、バックログの中に、合計で、伝送されるべき４または５のフレームを有することを示す。Ｎ［３］＞＝２８は、要求グループ３が、バックログの中に、通信されるべき２８以上のフレームを有することを示す。列１９０４は、報告選択肢Ａが、要求グループ１バックログ情報を報告し、ビットパターン（００００、０００１、００１０）に対応することを示す。また、列１９０４は、報告選択肢Ｂが、要求グループ２バックログに関して報告し、ビットパターン（００１１、０１００、０１０１、０１１０）に対応すること、および報告選択肢Ｃが、要求グループ３バックログに関して報告し、ビットパターン（０１１１、１０００、１００１、１０１０、１０１１、１１００、１１０１、１１１０、１１１１）に対応することも示す。
【００８９】
図２０は、例示的な無線端末装置における３つの例示的な要求グループを示す図２０００である。列２００２は、要求グループ１が、アップリンク制御トラヒックに関するキュー、フレームカウントＮ［１］を有すること、およびこの要求グループが、バックログの中にトラヒックを有する場合、最高の優先度を帯びることを示す。列２００４は、要求グループ２が、アップリンク音声トラヒックに関するキュー、フレームカウントＮ［２］、パケットが破棄されるまでの最大保持時間、伝送期限情報、および計算された現在の優先度を有することを示す。列２００６は、要求グループ３が、アップリンクの他の時間に依存するトラヒック、例えば、ゲームトラヒックのためのキュー、フレームカウントＮ［３］、パケットが破棄されるまでの最大保持時間、伝送期限情報、および計算された現在の優先度を示す。
【００９０】
図２１は、図１９のテーブル１９００の例示的な４ビットのアップリンク要求レポートフォーマットを使用し、図２０の図２０００の要求グループを含む例示的な無線端末装置、例えば、無線端末装置４００の方法の実施例を示す図２１００である。ブロック２１０２は、制御トラヒックのために使用される要求グループ１が、０フレームカウントのバックログを有することを示し、したがって、優先度に関して考慮から除外される。ブロック２１０４は、音声トラヒックのために使用される要求グループ２が、３というフレームカウント、２０ミリ秒の最大パケット保持時間、およびパケットが、伝送されない場合、ドロップされることになるまでの９ミリ秒という現在の伝送期限を有することを示し、ブロック２１０６は、ゲームトラヒックなどの、他の時間に依存するトラヒックのために使用される要求グループ３が、１８というフレームカウント、２００ミリ秒の最大パケット保持時間、およびパケットが、伝送されない場合、ドロップされることになるまでの２ミリ秒という現在の伝送期限を有することを示す。伝送期限は、無線端末装置によって計算されており、無線端末装置は、この情報に応じて、現在の優先レベルを計算する。この例では、無線端末装置は、情報２１０４によって示されるとおり、要求グループ２に関して、現在の優先レベル＝２（低優先度）を計算しており、情報２１０６によって示されるとおり、要求グループ３に関して、現在の優先レベル＝１（高）を計算しており、例えば、より小さい伝送期限値を有する要求グループを、より高い優先度を有するように選択する。ブロック２１０８は、無線端末装置が、現在の計算された優先度に応じて要求グループ２を選択すること、例えば、無線端末装置が、計算された最高の優先度を有する要求グループを選択することを示す。ブロック２１１０は、無線端末装置が、報告選択肢Ｃが要求グループ３に関するバックログ情報を報告するので、報告選択肢Ｃを選択することを示す。ブロック２１１２は、無線端末装置が、情報ビットパターン＝１１０１、すなわち、ビットパターン１１０１にマップされる範囲１４：１８であるＮ［３］＝１８を有するアップリンク要求レポートを生成することを示す。次に、ブロック２１１４は、無線端末装置が、この生成されたアップリンク要求レポートを、専用制御セグメントの信号の一部として伝送することを示す。
【００９１】
図２２は、図１９のテーブル１９００の例示的な４ビットのアップリンク要求レポートフォーマットを使用し、図２０の図２０００の要求グループを含む例示的な無線端末装置、例えば、無線端末装置４００の方法の別の実施例を示す図２２００である。ブロック２２０２は、制御トラヒックのために使用される要求グループ１が、フレームカウント１を有し、したがって、最高の優先レベル＝１を帯びることを示す。ブロック２２０４は、音声トラヒックのために使用される要求グループ２が、３というフレームカウント、２０ミリ秒の最大パケット保持時間、およびパケットが、伝送されない場合、ドロップされることになるまでの１ミリ秒という現在の伝送期限を有することを示し、ブロック２２０６は、ゲームトラヒックなどの、他の時間に依存するトラヒックのために使用される要求グループ３が、１８というフレームカウント、２００ミリ秒の最大パケット保持時間、およびパケットが、伝送されない場合、ドロップされることになるまでの３ミリ秒という現在の伝送期限を有することを示す。伝送期限は、無線端末装置によって計算されており、無線端末装置は、この情報に応じて、現在の優先レベルを計算する。この例では、無線端末装置は、要求グループ１において、０でないバックログを有し、グループ１は、最高の優先度を帯び、その他の要求グループの計算された優先度決定を無効にする。ブロック２２０８は、無線端末装置が、特定された優先度情報に応じて要求グループ１を選択することを示す。ブロック２２１０は、無線端末装置が、報告選択肢Ａが要求グループ１に関するバックログ情報を報告するので、報告選択肢Ａを選択することを示す。ブロック２２１２は、無線端末装置が、情報ビットパターン＝０００１、すなわち、ビットパターン０００１にマップされるＮ［１］＝１を有するアップリンク要求レポートを生成することを示す。次に、ブロック２２１４は、無線端末装置が、この生成されたアップリンク要求レポートを、専用制御セグメントの信号の一部として伝送することを示す。
【００９２】
要求グループに対応する伝送期限情報が計算される一部の実施形態では、レポートフォーマットは、少なくとも報告選択肢に関して、複数の要求グループが一緒に符号化されるようになっている。一部の実施形態では、ビットマッピング定義に対する情報の少なくとも一部には、以前に伝送された電力レポート、および／または以前に伝送された干渉レポートなどの情報に基づく制御要因が含まれる。一部の実施形態では、ビットマッピング定義に対する情報の少なくとも一部は、以前に伝送されたレポートから全く変化を示さない。
【００９３】
ＯＦＤＭシステムの文脈において説明されているが、様々な実施形態の方法およびシステムは、多くの非ＯＦＤＭシステムおよび／または非セルラーシステムを含め、多種多様な通信システムに適用可能である。
【００９４】
様々な実施形態において、本明細書で説明される実施形態は、１つまたは複数のモジュールを使用して実施されて、１つまたは複数の方法に対応するステップ、例えば、信号処理、報告選択肢選択、レポート生成、期限特定、スケジューリング優先度計算を実行する。一部の実施形態では、様々なフィーチャが、モジュールを使用して実施される。そのようなモジュールは、ソフトウェア、ハードウェア、またはソフトウェアとハードウェアの組み合わせを使用して実施されることが可能である。前述した方法または方法ステップの多くは、メモリ装置、例えば、ＲＡＭ、フロッピー（登録商標）ディスク、その他などのマシン可読媒体に含まれる、ソフトウェアなどのマシン実行可能命令を使用して実施されて、例えば、１つまたは複数のノードにおいて、前述した方法のすべて、またはいくつかの部分を実施するように、マシン、例えば、追加のハードウェアを有する、または有さない汎用コンピュータを制御することが可能である。したがって、とりわけ、様々な実施形態は、マシン、例えば、プロセッサ、および関連するハードウェアが、前述した方法のステップの１つまたは複数を実行するようにさせるマシン実行可能命令を含むマシン可読媒体を対象とする。
【００９５】
前述した方法および装置の多数のさらなる変種が、当業者には明白となろう。そのような変種は、範囲に含まれるものと考えられる。様々な実施形態の方法および装置は、ＣＤＡＭタイプの通信技術、直交周波数分割多重化（ＯＦＤＭ）タイプの通信技術、および／またはアクセスノードと移動ノードの間で無線通信リンクを提供するのに使用されることが可能な他の様々なタイプの通信技術で使用されることが可能であり、様々な実施形態において、そのようなタイプの通信技術で使用される。一部の実施形態では、アクセスノードは、ＯＦＤＭおよび／またはＣＤＭＡを使用して移動ノードとの通信リンクを確立する基地局として実施される。様々な実施形態において、移動ノードは、様々な実施形態の方法を実施するための受信機／送信機回路ならびに論理および／またはルーチンを含むノートブックコンピュータ、パーソナルデータアシスタント（ＰＤＡ）、または他のポータブルデバイスとして実施される。
【図１】
0005524286.tif 000002
【図２】
0005524286.tif 000003
【図３】
0005524286.tif 000004
【図４】
0005524286.tif 000005
【図５】
0005524286.tif 000006
【図６】
0005524286.tif 000007
【図７】
0005524286.tif 000008
【図８】
0005524286.tif 000009
【図９】
0005524286.tif 000010
【図１０】
0005524286.tif 000011
【図１１】
0005524286.tif 000012
【図１２】
0005524286.tif 000013
【図１３】
0005524286.tif 000014
【図１４】
0005524286.tif 000015
【図１５】
0005524286.tif 000016
【図１６】
0005524286.tif 000017
【図１７】
0005524286.tif 000018
【図１８】
0005524286.tif 000019
【図１９】
0005524286.tif 000020
【図２０】
0005524286.tif 000021
【図２１】
0005524286.tif 000022
【図２２】
0005524286.tif 000023